(57)【要約】      （修正有）【課題】ハンバ−ガ−等の食品を包装した物、また包装からむき出しになった物を上下左右から固定することにより、中身がずれず、こぼさないように食べることができ、また食品を立てることを可能とし、一度置いてから再度食べる際にも、ずれずにきれいな状態を保ちながら食べることができるプラスチック製商品を提供する。【解決手段】ハンバーガー６の側面を合わせる底面部と、その底面部の両面部にそれぞれ一体接続するクラウン固定部２とヒール固定部３からなるハンバーガー・ガード・スタンドである。【選択図】図１
0003129229.tif 000002
【実用新案登録請求の範囲】
【請求項１】
中央部が平面で、その両サイドが曲面であり全体がＯ型ハンバーガー側面に合わさる底面部と、該底面部の一方の側縁と一体接続された、ハンバーガー(上部)のクラウン中心部へ伸びている弾力性を有するクラウン固定部。他方の側縁と一体接続されたハンバーガー(下部)のヒール底面の枠に沿ったヒール固定部とからなることを特徴とするハンバーガー・ガード・スタンド。  
【考案の詳細な説明】
【技術分野】
【０００１】
本考案は、ハンバ−ガ−の食品を食べやすくすることに関するものである。
【背景技術】
【０００２】
従来、ハンバ−ガ−は、四角形のシートや蓋付きのパッケージ型の物が多く知られている。
【０００３】
このように包装されたハンバーガー等を食べる時には、包装を完全に取り去らずに包装された部分を手に持ち、開口部よりハンバーガーの一部分を露出させて食べることが多く、これにより、形がくずれ中身の具もずれたり、内容物がこぼれ出るのと、シートの内側の汚れなどで、手や口回りが汚れたりするのを防ぎながら食べるのが普通である。
【考案の開示】
【考案が解決しようとする課題】
【０００４】
このようにハンバーガーをシートでくるんだものや、パッケージから取り出し両手で持ちながらでは、ずれて内容物がこぼれやすく汚れやすい。これらを改善するために今までの例として、図６では、両側縁を全長にわたって付着（接着部７，７）しているため開口部８からハンバーガー６を入れるのに不便である。図７では、開口部８を広くしてあるが図８に示すように中でハンバーガー６が安定しないため形が崩れやすいという問題が生ずる。図９では、隣接する二辺を開口部８とした場合、紙の形に対して斜めに開かなくてはならないために開きにくく、また開口部８が突出しているために、食べる時に包装袋の先端９が邪魔になりやすいという問題が生じていた。  
【０００５】
本考案は、前記従来型のハンバーガー等の包装袋の問題も含め、更に別の角度から解決するための目的としてハンバーガーの中身がくずれにくく、汚れを防ぎ、きれいに食べられるプラスチック製の商品を提供することにある。
【０００６】
前記目的を達成するために、いろいろな包装袋が考案されているが、やはり使用されているのは四角形シートタイプ、パッケージタイプが多くみられる。食べにくい原因である、形がくずれる・内容物がこぼれる・手や口周りが汚れる、等の一番の問題は、ハンバーガーを持つ手の力にあると考えられる。ハンバーガーを潰さないようにヒールの一部分を親指で、クラウンは中指を中心に人差し指と薬指を軽く添えるだけの状態が多く、このような状態でハンバーガーを食べ、噛み切る際にハンバーガーを支えている指先に余分な力が生じバランスが悪くなり中身の具やソースを押し出してしまう。この問題を解決すために提供する商品は、ハンバーガーを一定の力で支えることで安定し、形がくずれる・内容物がこぼれる・手や口周りが汚れる、を補うことが可能である。
【課題を解決するための手段】
【０００７】
ハンバーガーの側面を合わせる底面部と、その底面部の両側縁にそれぞれに一体接続するクラウン固定部とヒール固定部からなるハンバーガー・ガード・スタンドを提供する。
【考案の効果】
【０００８】
本考案を使用することで従来の技術に対し問題であった、形くずれ、内容物のこぼれ、手や口周りの汚れを解決するだけでなく、今までになかった食べている最中にも縦置きすることができる利点もあり、
直径１０センチのＯ型の高さ５センチ程度のハンバーガーであれば全てに効果を発揮することが可能である。
【考案を実施するための最良の形態】
【０００９】
本考案は底面部でＯ型ハンバーガーの側面を密着させると共に、弾力性のある図１のクラウン固定部２によって高さ５センチ程度であれば、どのメーカーの種類のハンバーガーでも対応可能である。
【実施例１】
【００１０】
添付の図面にて詳細を説明する。図１において、例えば、ポリエチレン、ポリプロピレン、ポリエチレンテレスタレート等、プラスチック素材のハンバーガー・ガード・スタンドの底面１と１へ、ハンバーガー６を（上部）のクラウン固定部２に向くように縦に差し込む、これによりハンバーガーの側面が底面１と１に密着する。図２はヒール固定部３に縦にしたハンバーガー６を（下部）ヒール側を向けて差し込んだ状態。ヒール固定部３の上部には親指が添えられる凹部４を設けている。図３はクラウン固定部２に縦にしたハンバーガー６を(上部)クラウン側を向けて差し込んだ状態。クラウン固定部２の下部には滑り止めとした凸部５を設けている。図４と図５は、それぞれ側面から見た状態である。通常のハンバーガーには厚みが３センチ〜５センチの異なる商品が多くあるため図４のクラウン固定部２は弾力があるため２センチ程度幅の移動が可能である。そのため図５のようにヒール固定部３の凹部４と、弾力のあるクラウン固定部２とで挟み込むことで安定度が増す。
【００１１】
上記の全てにより固定されることで、ハンバーガー６を食べる際にはヒール固定部３の凹部４に親指をあて、クラウン固定部２の凸部５に中指を中心に人差し指、薬指を軽く添えるだけで楽に持つことができる。無駄な力が加わらないことで内容物が潰れて、ずれることもなく、こぼれたりしにくくなり具材を均等に食べることができる。凸部５には０，５〜１ミリのロゴ等の凸を設けることで更に滑り止めと宣伝の効果がある。また今までハンバーガーを食べている最中でのハンバーガー自体を手放さなければならない状況では、置く時や持つ時に同じように内容物のずれや具材のこぼれ等が生じていたが、このハンバーガー・ガード・スタンドではそのまま立て置きするだけで再度きれいな状態で食べることができる。
【図面の簡単な説明】
【００１２】
【図１】本考案のハンバーガー・ガード・スタンドの実施例を示す図である。
【図２】本考案のハンバーガーを差し込んだ背面図である。
【図３】本考案のハンバーガーを差し込んだ正面図である。
【図４】本考案の側面から見た実施例を示す図である。
【図５】本考案のハンバーガーを差し込んだ側面図である。
【図６】従来例を示す説明図である。
【図７】従来例を示す説明図である。
【図８】図７を上から見た説明図である。
【図９】従来例を示す説明図である。
【符号の説明】
【００１３】
１ハンバーガー・ガード・ガード底面  
２クラウン固定部
３ヒール固定部  
４凹部  
５凸部
６ハンバーガー
７接着部
８開口部
９先端
【図１】
0003129229.tif 000003
【図２】
0003129229.tif 000004
【図３】
0003129229.tif 000005
【図４】
0003129229.tif 000006
【図５】
0003129229.tif 000007
【図６】
0003129229.tif 000008
【図７】
0003129229.tif 000009
【図８】
0003129229.tif 000010
【図９】
0003129229.tif 000011
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
中央部が平面で、その両サイドが曲面であり全体が、Ｏ型ハンバーガー側面に合わさる底面部と該底面部の一方の側縁と一体接続されたハンバーガー(上部)のクラウン中心部ヘ伸びている弾力性を有するクラウン固定部と、他方の側縁と一体接続されたハンバーガー(下部)のヒール底面の枠に沿ったヒール固定部とからなることを特徴とするハンバーガー・ガード・スタンド。
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
中央部が平面で、その両サイドが曲面であり全体が、Ｏ型ハンバーガー側面に合わさる底面部と該底面部の一方の側縁と一体接続されたハンバーガー上部のクラウン中心部ヘ伸びている弾力性を有するクラウン固定部と、他方の側縁と一体接続されたハンバーガー下部のヒール底面の枠に沿ったヒール固定部とからなることを特徴とするハンバーガー・ガード・スタンド。